(57)【要約】【課題】より好適に着用することができる吸収性物品を実現する。【解決手段】紙おむつ１におけるサイドフラップ２０に、そのサイドフラップ２０の延出方向と交差する方向に沿う複数のスリット２を形成することによって、そのサイドフラップ２０が引き伸ばされる方向に作用力が加わった際に、スリット２が開口を広げることによってサイドフラップ２０が伸び、また、スリット２の開口が閉じることによってサイドフラップ２０が縮むことを可能にする構成にした。【選択図】図１
2007143871.tif 000002
【特許請求の範囲】
【請求項１】
透液性の表面シートと、不透液性の裏面シートと、前記表面シートと前記裏面シートとの間に腹側部から背側部にかけて介装される吸収体と、を備え、前記背側部の両側方に延出した一対のサイドフラップと、前記サイドフラップに設けられたファスニング部材を係止させるために前記腹側部の前記裏面シートに設けられた被着部と、を有する吸収性物品において、
前記サイドフラップと、前記背側部における前記サイドフラップと前記吸収体の間の少なくとも一方に、前記サイドフラップの延出方向と交差する方向に沿う複数条の筋部が形成されており、前記サイドフラップ及び／又は前記背側部は、その筋部の変形に応じて前記サイドフラップの延出方向への伸縮が可能に構成されることを特徴とする吸収性物品。
【請求項２】
前記腹側部における当該腹側部の両側端部と前記被着部との間に、前記サイドフラップの延出方向と交差する方向に沿う複数条の筋部が形成されており、前記腹側部は、その筋部の変形に応じて前記サイドフラップの延出方向への伸縮が可能に構成されることを特徴とする請求項１に記載の吸収性物品。
【請求項３】
前記筋部は、前記サイドフラップの延出方向と交差する方向に沿う溝であり、前記複数条の筋部によって、前記サイドフラップの延出方向に凹凸が連なる波状加工が施されていることを特徴とする請求項１又は２に記載の吸収性物品。
【請求項４】
前記筋部は、前記サイドフラップの延出方向と交差する方向に沿うスリットであることを特徴とする請求項１又は２に記載の吸収性物品。
【請求項５】
前記スリットの両端部をそれぞれ囲うように、略Ｃ字形状の切り込み部が形成されていることを特徴とする請求項４に記載の吸収性物品。
【請求項６】
前記サイドフラップは、当該吸収性物品の着用時に人体の腰回り側に位置する第１フラップ部と、人体の脚回り側に位置する第２フラップ部と、を有することを特徴とする請求項１〜５のいずれか一項に記載の吸収性物品。
【発明の詳細な説明】
【技術分野】
【０００１】
本発明は、使い捨て紙おむつ等の吸収性物品に関する。
【背景技術】
【０００２】
従来、使い捨て紙おむつ等に代表される吸収性物品は、透液性の表面シートと、不透液性の裏面シートと、前記表面シートと前記裏面シートとの間に腹側部から背側部にかけて介装される吸収体とを有する。
そして、使い捨て紙おむつを着用する場合には、例えば、使い捨て紙おむつを人体の股にあて、その使い捨て紙おむつにおける背側部のウイングに設けられたテープファスナを、おむつの腹側部に設けられたターゲットテープに止着すればよい。
【０００３】
その使い捨て紙おむつのウイングを弾性的な伸縮性を有する伸縮性シートにより形成することによって、使い捨て紙おむつを人体の胴回りに締め付けるようにフィットさせ、所定の着用位置からのずれ下がりを防止する使い捨て紙おむつが知られている（例えば、特許文献１参照。）。
【特許文献１】特許第３６４０３５６号公報
【発明の開示】
【発明が解決しようとする課題】
【０００４】
しかしながら、上記特許文献１の場合、伸縮性を有するプラスチックフィルムに不織布が貼り合わされた伸縮性シートの資材コストが高いため、使い捨て紙おむつの製造コストが増大してしまうという問題があった。
また、使い捨て紙おむつの胴回りへのフィット性は向上するものの、姿勢を変える際や呼吸時などに腹や腰への締め付けがきつく感じることがあるという問題があった。
【０００５】
本発明の目的は、より好適に着用することができる吸収性物品を提供することである。
【課題を解決するための手段】
【０００６】
以上の課題を解決するため、請求項１に記載の発明は、
透液性の表面シートと、不透液性の裏面シートと、前記表面シートと前記裏面シートとの間に腹側部から背側部にかけて介装される吸収体と、を備え、前記背側部の両側方に延出した一対のサイドフラップと、前記サイドフラップに設けられたファスニング部材を係止させるために前記腹側部の前記裏面シートに設けられた被着部と、を有する吸収性物品において、
前記サイドフラップと、前記背側部における前記サイドフラップと前記吸収体の間の少なくとも一方に、前記サイドフラップの延出方向と交差する方向に沿う複数条の筋部が形成されており、前記サイドフラップ及び／又は前記背側部は、その筋部の変形に応じて前記サイドフラップの延出方向への伸縮が可能に構成されることを特徴とする。
【０００７】
請求項２に記載の発明は、請求項１に記載の吸収性物品において、
前記腹側部における当該腹側部の両側端部と前記被着部との間に、前記サイドフラップの延出方向と交差する方向に沿う複数条の筋部が形成されており、前記腹側部は、その筋部の変形に応じて前記サイドフラップの延出方向への伸縮が可能に構成されることを特徴とする。
【０００８】
請求項３に記載の発明は、請求項１又は２に記載の吸収性物品において、
前記筋部は、前記サイドフラップの延出方向と交差する方向に沿う溝であり、前記複数条の筋部によって、前記サイドフラップの延出方向に凹凸が連なる波状加工が施されていることを特徴とする。
【０００９】
請求項４に記載の発明は、請求項１又は２に記載の吸収性物品において、
前記筋部は、前記サイドフラップの延出方向と交差する方向に沿うスリットであることを特徴とする。
【００１０】
請求項５に記載の発明は、請求項４に記載の吸収性物品において、
前記スリットの両端部をそれぞれ囲うように、略Ｃ字形状の切り込み部が形成されていることを特徴とする。
【００１１】
請求項６に記載の発明は、請求項１〜５のいずれか一項に記載の吸収性物品において、
前記サイドフラップは、当該吸収性物品の着用時に人体の腰回り側に位置する第１フラップ部と、人体の脚回り側に位置する第２フラップ部と、を有することを特徴とする。
【発明の効果】
【００１２】
請求項１に記載の発明によれば、吸収性物品におけるサイドフラップと、吸収性物品の背側部におけるサイドフラップと吸収体の間の少なくとも一方に、サイドフラップの延出方向と交差する方向に沿う複数条の筋部が形成されている。
そして、その筋部が形成されているサイドフラップ及び／又は背側部は、筋部の変形に応じてサイドフラップの延出方向へ伸縮することができるので、吸収性物品のサイドフラップのファスニング部材を被着部に係止するようにして、その吸収性物品を人体に着用した際に、姿勢を変えたり呼吸したりすることなどによって人体の腹が膨らんだ場合に、その膨らみに応じてサイドフラップや背側部がサイドフラップの延出方向へ伸びることによって、その締め付けが軽減される。また、膨らんだ腹が元に戻ると、サイドフラップや背側部はその原形を回復するように縮み、人体にフィットする。
よって、この吸収性物品は、装着感に優れ、より好適に着用することができるものである。
【００１３】
請求項２に記載の発明によれば、請求項１に記載の発明と同様の効果が得られることは無論のこと、吸収性物品の腹側部における当該腹側部の両側端部と被着部との間に、サイドフラップの延出方向と交差する方向に沿う複数条の筋部が形成されている。
そして、その筋部が形成されている腹側部は、筋部の変形に応じてサイドフラップの延出方向へ伸縮することができるので、吸収性物品のサイドフラップのファスニング部材を被着部に係止するようにして、その吸収性物品を人体に着用した際に、姿勢を変えたり呼吸したりすることなどによって人体の腹が膨らんだ場合に、その膨らみに応じて腹側部がサイドフラップの延出方向へ伸びることによって、その締め付けが軽減される。また、膨らんだ腹が元に戻ると、腹側部はその原形を回復するように縮み、人体にフィットする。
よって、この吸収性物品は、装着感に優れ、より好適に着用することができるものである。
【００１４】
請求項３に記載の発明によれば、請求項１又は２に記載の発明と同様の効果が得られることは無論のこと、吸収性物品における筋部は、サイドフラップの延出方向と交差する方向に沿う溝であり、その複数条の筋部である溝によって、サイドフラップの延出方向に凹凸が連なる波状加工が、サイドフラップや、背側部や腹側部に施されている。
つまり、波状加工が施された部分は、その波形状の凹凸が広げられることによってサイドフラップの延出方向に伸びることができる。また、波状加工が施された部分は、その広げられた波形状の凹凸を復元するようにして、その原形を回復するように縮むことができる。
従って、吸収性物品は、複数条の筋部である溝によって形成された波状加工の変形に応じて伸縮することによって、好適に人体にフィットするので、好適に着用することが可能になる。
【００１５】
請求項４に記載の発明によれば、請求項１又は２に記載の発明と同様の効果が得られることは無論のこと、吸収性物品における筋部は、サイドフラップの延出方向と交差する方向に沿うスリットであるので、吸収性物品のサイドフラップや、背側部や腹側部には複数の切り込みによる開口が施されている。
つまり、スリットはスリットの長手方向と交差する方向に開口を広げるように開くことができるので、スリットである開口が施された部分は、そのスリットの開口が開かれることによってサイドフラップの延出方向に伸びることができる。また、スリットである開口が施された部分は、そのスリットの開口が閉じられるように復元されるようにして、その原形を回復するように縮むことができる。
従って、吸収性物品は、複数条の筋部であるスリットの変形に応じて伸縮することによって、好適に人体にフィットするので、好適に着用することが可能になる。
【００１６】
請求項５に記載の発明によれば、請求項４に記載の発明と同様の効果が得られることは無論のこと、吸収性物品におけるスリットに対し、そのスリットの両端部をそれぞれ囲うように略Ｃ字形状の切り込み部が形成されているので、そのスリットの開口がスリットの長手方向に沿って、スリットの端部から長く引き裂かれることを低減することができる。
つまり、略Ｃ字形状の切り込み部が、スリットの長手方向の延長線上である両端部側に形成されていると、スリットがそのスリットに沿って引き裂かれてしまった場合に、切り込み部の部分でその裂ける勢いが分散されて軽減されることとなって、その破れが止まるので、サイドフラップや、背側部や腹側部の損傷を抑えることができる。
【００１７】
請求項６に記載の発明によれば、請求項１〜５のいずれか一項に記載の発明と同様の効果が得られることは無論のこと、吸収性物品におけるサイドフラップは、吸収性物品の着用時に人体の腰回り側に位置する第１フラップ部と、人体の脚回り側に位置する第２フラップ部と、を有するので、吸収性物品を人体により好適に装着することが可能になる。
つまり、第１フラップ部によって、吸収性物品を人体の腰回り側に締め付け、第２フラップ部によって、吸収性物品を人体の脚周り側に締め付けることができる。
特に、第２フラップ部を人体の腰周り側に引き上げるように被着部に取り付け、第１フラップ部を人体の脚周り側に引き下げるように被着部に取り付けることによって、吸収性物品を人体によりフィットさせ装着することができるので、吸収性物品をより好適に着用することができる。
【発明を実施するための最良の形態】
【００１８】
以下、本発明の実施の形態を、図面を参照しながら詳細に説明する。
本実施の形態では、吸収性物品として、特に、成人用の使い捨て紙おむつを一例として、以下で説明する。
【００１９】
図１は、本実施の形態における使い捨て紙おむつを展開した斜視図である。また、図２は、使い捨て紙おむつの装着時の状態に組立てた斜視図であり、図３は、平面展開図である。
図１〜図３に示すように、吸収性物品である使い捨て紙おむつ（以下、紙おむつという。）１は、紙おむつ本体１０と、この紙おむつ本体１０を人体に装着するための止着部としてのサイドフラップ２０、２０と、サイドフラップ２０を係止させるための被着部３０とを備えている。
【００２０】
紙おむつ本体１０は、人体との接触面側に設けられる透液性の不織布等からなる表面シート１０ａと、装着時に外部側に設けられる不透液性の裏面シート１０ｂと、表面シート１０ａと裏面シート１０ｂとの間に介装される吸収体１２と、表面シート１０ａ側の吸収体１２の両側部に、紙おむつ本体１０の長手方向に沿って備えられるギャザーシート１３、１３と、このギャザーシート１３、１３よりも紙おむつ本体１０の幅方向の内側の吸収体１２上に、紙おむつ本体１０の長手方向に沿うように備えられる突出部１４、１４と、により主に構成される。
ここで、内側とは、紙おむつ１０の幅方向の中央側をいい、外側とは、紙おむつ１０の幅方向の中央から離れる側をいう。
【００２１】
紙おむつ本体１０は、人体の股部を腹側から背側にかけて覆うように、一方の端部に腹側部１５が形成され、他方の端部に背側部１６が形成されている。また、腹側部１５と背側部１６との間が股下部１７となっている。股下部１７の両縁部は、内側に凹むように形成され、装着された際に着用者の脚の周りを囲む脚開口部１８、１８となっている。
【００２２】
そして、紙おむつ本体１０の腹側部１５の端部１５１と、背側部１６の端部１６１とは、紙おむつ１が装着された際に、胴周りを形成するようになっている。
特に、胴周りを形成する部分として、腹側部１５において股下部１７よりも両外側に延出した腹側延出部１５２、１５２と、背側部１６において股下部１７よりも両外側に延出した背側延出部１６２、１６２と、が形成されている。
また、背側部１６の長手方向の縁部１６４の中央部には、糸ゴム等の弾性部材１６４ａが幅方向に沿って設けられ、この弾性部材１６４ａにより平面ギャザー１６５が形成され、着用者の胴周りにフィットするように伸縮自在な構成となっている。
【００２３】
また、背側部１６の背側延出部１６２、１６２の側縁部１６３、１６３には、それぞれ外側に向かって、紙おむつ１の幅方向に突出したサイドフラップ２０、２０が設けられている。
また、腹側部１５の端部１５１における裏面シート１０ｂには、被着部３０が設けられている。
【００２４】
サイドフラップ２０、２０は、例えば、不織布等、その素材自体は伸縮性を有さないシート材で形成されており、背側部１６の延出部１６２、１６２の左右側方に延出するように備えられている。そして、左右それぞれのサイドフラップ２０、２０の自由端部側には、凸状に突出する第１ファスナ２１ａ、２１ｂと、第２ファスナ２２ａ、２２ｂとが設けられている。第１ファスナ２１ａ、２１ｂ、第２ファスナ２２ａ、２２ｂには、それぞれ面ファスナのオス材の係止要素であるファスニング部材としてのファスニングテープ２３が備えられている。
そして、この４つのファスニングテープ２３、２３、２３、２３が、腹側部１５の裏面シート１０ｂ上に備えられているメス材の係止要素である被着部３０に係止するようになっていて、背側端部側の第１ファスナ２１ａ、２１ｂは胴周りを締め付け、股下部１７側の第２ファスナ２２ａ、２２ｂは脚周りを締め付け可能な構造となっている。
【００２５】
また、サイドフラップ２０には、サイドフラップ２０の延出方向（紙おむつ１の幅方向）と交差する方向に沿う複数条の筋部であるスリット２・・・が形成されている。なお、スリット２・・・は、サイドフラップ２０に切り込みが形成されてなる細い隙間（間隙、細隙）である。
スリット２・・・は、図３、図４（ａ）に示すように、サイドフラップ２０の延出方向と交差する方向に沿って、所定の間隔をあけてスリット２がその長手方向に連なるように複数配置される列を成すとともに、そのスリット２・・・の列が複数列、サイドフラップ２０の延出方向に配列されるように形成されている。
また、サイドフラップ２０の延出方向に配列される複数のスリット列は、スリット２と、スリット２間の非開口部とが、交互に繰り返されるように、複数のスリット列が配列されている。
なお、スリット２のサイドフラップ２０の延出方向と交差する方向に沿う開口部の長さＬは１ｍｍ〜３０ｍｍ、スリット列方向のスリット間の長さＡは０．５ｍｍ〜３０ｍｍ、スリット列の配列間の長さＢ（ピッチ長Ｂ）は０．５ｍｍ〜３０ｍｍであることが好ましい。
【００２６】
そして、サイドフラップ２０に、そのサイドフラップ２０の延出方向（紙おむつ１の幅方向）に引き広げられる作用力が付与されると、図４（ｂ）に示すように、各スリット２の開口が開くことによって、サイドフラップ２０がその作用力の方向に伸びることとなる。一方、その作用力が付与されなくなくと、スリット２の開口が閉じられてサイドフラップ２０はその原形を回復するように縮む。
つまり、サイドフラップ２０自体は伸縮しないものの、スリット２の変形に応じて、サイドフラップ２０はその延出方向であって、スリット２の長手方向と交差する方向への伸縮が可能になっている。
なお、スリット２の長さＬを長く形成するほど、スリット２の開口が大きく開くので、サイドフラップ２０はより長く伸びることが可能になる。また、スリット列の配列間の長さＢであるピッチ長Ｂを短くする程、単位長さあたりのスリット２の開口量が増えるので、サイドフラップ２０はより長く伸びることが可能になる。
【００２７】
なお、スリット２は、サイドフラップ２０を構成するシート材の繊維の配向方向と交差する方向に、その切り込みを形成することが好ましい。つまり、この紙おむつ１の場合、紙おむつ１のサイドフラップ２０における繊維の配向方向が、サイドフラップ２０の延出方向となっていることが好ましい。
例えば、サイドフラップ２０における繊維の配向方向に沿ってスリット２を形成した場合に、そのスリット２に沿ってサイドフラップ２０を引き裂く際の引裂強度は１．０ｋｇであり、一方、サイドフラップ２０における繊維の配向方向と直交する方向に沿ってスリット２を形成した際に、そのスリット２に沿ってサイドフラップ２０を引き裂く際の引裂強度は２．５ｋｇである。つまり、サイドフラップ２０における繊維の配向方向と直交する方向に沿ってスリット２を形成した方が２．５倍の引裂強度を有する。
従って、サイドフラップ２０における繊維の配向方向と交差する方向にスリット２を形成することによって、スリット２の開口部が開閉されることが繰り返される場合であってもサイドフラップ２を裂け難くすることができ、繰り返し使用に耐えうるサイドフラップとすることができる。
【００２８】
吸収体１２は、紙おむつ１の使用時に、体液としての尿等の水様成分を吸収するものであり、綿やパルプ等の吸収性素材や、繊維或いはフィルム等のシート状基材と、高吸水性樹脂とを組み合わせて形成される。吸収体１２は、腹側部１５から背側部１６に亘る長さに形成されている。また、吸収体１２の幅方向の長さは、股下部１７の形状に合わせて中央部１２ａが狭く、長手方向の腹側端部１２ｂ、背側端部１２ｃは、腹側部１５の腹側延出部１５２、背側部１６の背側延出部１６２の形状に合わせて、中央部１２ａよりも幅が広く形成されている。
【００２９】
ギャザーシート１３、１３は、表面シート１０ａ側であって吸収体１２の中央部１２ａを挟む幅方向の両側部に、腹側部１５の長手方向の縁部１５４から背側部１６の長手方向の縁部１６４に亘ってそれぞれ備えられている。
このギャザーシート１３、１３の幅方向外側の部分は、図５に示すように、裏面シート１０ｂの表面シート１０ａ側の面に固着されており、吸収体１２の側方で表面シート１０ａ側に周り込むようにして表面シート１０ａの上面に固着されている。そして、このギャザーシート１３の幅方向内側の部分は、表面シート１０ａに固定されておらず自由部１３１となっている。
ここで、ギャザーシート１３が裏面シート１０ｂおよび表面シート１０ａと固定される部分を固定部１３２といい、固定部１３２と自由部１３１との境目を基端部１３３とする。
【００３０】
ギャザーシート１３は、図５に示すように、股下部１７における基端部１３３において幅方向外側に折り返される第１折り返し部１３ａと、基端部１３３と自由部１３１の先端の自由端部１３４との間の中間位置よりも自由端部１３４側において、幅方向内側に折り返される第２折り返し部１３ｂとが形成されている。
従って、この第１折り返し部１３ａと第２折り返し部１３ｂとで、断面略く字状及び逆く字状に立ち上がった立体ギャザーが形成される。尚、第１折り返し部１３ａは、股下部１７においては、基端部１３３にて形成されるのが望ましいが、これに限られず、第２折り返し部１３ｂは、基端部１３３と自由端部１３４の間の中間位置よりも自由端部１３４寄りであれば、何処であってもよい。
【００３１】
ギャザーシート１３の自由部１３１には、ギャザーシート１３の長手方向に沿って、複数の糸ゴム（弾性部材）１３ｃが略平行に備えられている。本実施の形態では、図５に示すように、第２折り返し部１３ｂに一本と、自由端部１３４に一本と、第２折り返し部１３ｂと自由端部１３４の間の自由端部１３４寄りに一本、計三本ずつ糸ゴム１３ｃが設けられている。そして、この糸ゴム１３ｃにより立体ギャザーシート１３は、着用者の体型に合わせて伸縮自在に変形し、着用者にフィットしやすい構造となっている。
また、第２折り返し部１３ｂに糸ゴム１３ｃが設けられることにより、第２折り返し部１３ｂと自由端部１３４との間に、平らに近い面が吸収体１２側に傾倒して形成されるので、体液がギャザーシート１３を越えて漏れ出すのを阻止する効果を高めることができる。
【００３２】
また、ギャザーシート１３の長手方向の先端部（腹側先端部１３５、背側先端部１３６）においては、自由部１３１の外側に折り返された第１折り返し部１３ａと、内側に折り返された第２折り返し部１３ｂとが、例えば、ホットメルト等のヒートシールにより固着されている。
【００３３】
また、ギャザーシート１３の基端部１３３は、図１、図６に示すように、吸収体１２の腹側端部１２ｂ、背側端部１２ｃ上において、幅方向外側に向かって湾曲した凹部形状となっており、ギャザーシート１３の自由部１３１の幅方向の長さは、股下部１７の幅方向の長さよりも大きくなっている。これにより、図１、図３に示すように、ギャザーシート１３と表面シート１０ａとの間にポケット部１００、１００、１００、１００が、腹側部１５、背側部１６とにそれぞれ２つずつ、計４つ形成されている。従って、例えば、紙おむつ１の着用時に、不液透過性の立体ギャザーシート１３で遮断された体液が、不液透過性の立体ギャザーシート１３の長手方向に沿って移動すると、移動した体液は、腹側部１５或いは背側部１６のポケット部１００に到達して一旦貯留された後、徐々にポケット部１００の下方の吸収体１２に吸収されることとなって、横漏れ防止の効果を更に向上させることができる。また、ポケット部１００は、腹側延出部１５２及び背側延出部１６２の面積に対して、１０〜８０％の大きさに形成されている。ここで、上記範囲に形成されている理由は、１０％より小さい場合には、ポケット部１００における体液吸収の効果が小さくなるからであり、８０％より大きい場合には、腹側延出部１５２及び背側延出部１６２の横或いは後方から漏れてしまう可能性があるからである。
【００３４】
また、固定部１３２において、ギャザーシート１３、１３と裏面シート１０ｂとの間には、脚開口部１８、１８の両縁部から腹側部１５の腹側延出部１５２、１５２、及び背側部１６の背側延出部１６２、１６２にかけて、脚開口部１８、１８の両側縁部の湾曲形状に合わせて糸ゴム等の弾性部材１３ｄがそれぞれ設けられ、この弾性部材１３ｄにより平面ギャザー１３７、１３７が形成されている。
これにより、着用者の脚周りに伸縮自在にフィットし、横漏れを防止するようになっている。この平面ギャザー１３７、１３７の長さは、例えば、３００〜６００ｍｍとなっている。尚、本実施の形態では、図３、図５に示すように、弾性部材１３ｄとしての糸ゴムが、左右それぞれ３本ずつ備えられている。
【００３５】
また、図１、図３、図６に示すように、背側部１６において、不液透過性の不織布等からなるバックギャザーシート１９の幅方向の端部１９ａ、１９ｂが左右のギャザーシート１３、１３の間を掛け渡すように固着されている。そして、このバックギャザーシート１９の長手方向背側端部１９ｃが、裏面シート１０ｂに固着され、縁部１６４において平面ギャザー１６５を形成している。
また、バックギャザーシート１９の長手方向腹側端部１９ｄは、固定されておらず、表面シート１０ａ上を一部覆う様に延出しており、その先端部分に糸ゴムが幅方向に沿って設けられ、伸縮可能に形成されている。そして、このバックギャザーシート１９と、表面シート１０ａとの間の隙間に、後ポケット部２００が形成されることとなって、後漏れを防止する機能を果たしている。
【００３６】
突出部１４、１４は、吸収体１２上面に、ギャザーシート１３、１３よりも幅方向内側で長手方向に沿って設けられている。この突出部１４、１４には、紙おむつ本体１０の表面シート１０ａ上に配置され、図７に示すように、体液を吸収するインナーパッドＰの側部を固定させることができる。尚、図７は、紙おむつ１の表面シート１０ａ上にインナーパッドＰをセットしたことを仮定した断面図である。
この突出部１４、１４は、表面シート１０ａを長手方向に沿って二つ折りにした部分を固着させることにより表面シート１０ａの一部を突出させて形成される。
この突出部１４、１４の長手方向端部１４１、１４２は、突出部１４、１４が内側に倒れるように表面シート１０ａ上に固着されている。
また、突出部１４の基端部１４４から先端部１４５までの突出した部分は、５〜５０ｍｍの長さであって、インナーパッドＰを固定した際、突出部１４、１４が過度に覆い被さって体液の吸収性を妨げることがないようになっている。また、突出部１４の基端部１４４から先端部１４５までの突出部分の長さは、５〜５０ｍｍに形成されているが、更に、ギャザーシート１３の基端部１３３と自由端部１３４の間の長さよりも小さく形成されており、ギャザーシート１３による横漏れ防止機能を阻止しないようになっている。
また、左右の突出部１４、１４の幅方向の間隔は、１００〜３００ｍｍであるように形成されている。一般的にインナーパッドＰと呼ばれる吸収性物品の幅方向の長さが、１００〜３００ｍｍであるため、突出部１４、１４の幅方向の間隔も、インナーパッドＰの幅方向の長さと略同じ長さに形成されている。また、突出部１４、１４の幅方向の間隔は、広く用いられているインナーパッドＰとの関係により、より好ましくは１６０〜２００ｍｍに形成されているものとする。
【００３７】
また、この突出部１４、１４の先端部分には糸ゴム１４ａが設けられている。
この糸ゴム１４ａの弾性率は、２５０％以下であり、弾性力は２０ｇｆ以下であるように突出部１４に備えられている。従って、突出部１４、１４の間にインナーパッドＰを装着した場合に、上面からインナーパッドＰを固定させることができる。ここで、糸ゴム１４ａの弾性率は２５０％以下で、弾性力が２０ｇｆ以下であるのは、それより大きい場合には、糸ゴム１４ａの弾性力によって吸収体１２が収縮してしまうこととなって、装着した場合に吸収体１２の一部が重なるなどして吸収を妨げしまうからである。
【００３８】
尚、インナーパッドＰに面ファスナの一方の係止部材を設け、突出部１４の内面１４３のインナーパッドＰとの接触部分に数カ所、面ファスナの他方の係止部材を設け、インナーパッドＰのずれを更に防止する構成であってもよい。また、突出部１４は、表面シート１０ａの一部から形成されている構成で説明したが、突出部１４は表面シート１０ａと異なる他の部材から形成されていてもよい。
【００３９】
このように、本実施の形態による紙おむつ１によれば、吸収体１２によって一度に吸収されなかった体液が、ギャザーシート１３によって横漏れするのを阻止されるのに加え、ギャザーシート１３に沿って長手方向に移動することにより、ポケット部１００に到達して一旦貯留された後、徐々にポケット部１００の下方の吸収体１２に吸収されることとなって、横漏れ防止の効果が極めて高い。
【００４０】
特に、紙おむつ１におけるサイドフラップ２０に複数のスリット２・・・を形成することによって、本来は伸縮性を有さないサイドフラップ２０が、スリット２の長手方向と交差する方向であって、サイドフラップ２０の延出方向に伸縮することができるようになっているので、紙おむつ１の着用性や装着感が向上する。
具体的には、図２に示すような状態である紙おむつ１を着用するユーザが寝起きするなど姿勢を変える際に腹に力を入れたことや、ユーザが呼吸することなどに伴い、人体の腹が一時的に膨らむことがある。その際、スリット２が開き、紙おむつ１におけるサイドフラップ２０が、スリット２の長手方向と交差する方向に伸びることによって、ユーザの腹や腰などの胴回りにかかる腹圧を低減することができるので、紙おむつ１の着用性や装着感が向上する。また、膨らんだ腹が元に戻ると、スリット２が閉じ、サイドフラップ２０はその原形を回復するように縮むので、紙おむつ１は元のように胴回りにフィットする。
つまり、紙おむつ１のサイドフラップ２０は、ユーザの腹が膨らめばそれに応じて伸び、ユーザの膨らんだ腹が元に戻るとそれに応じて縮むようになっている。
このように、紙おむつ１は、装着感に優れ、より好適に着用することができる吸収性物品である。
【００４１】
また、紙おむつ１のサイドフラップ２０は、スリット２の開口部の開閉に基づき伸縮する構造になっているため、その伸縮度合いはほとんど変化しないので、常に安定した装着感を得ることができる。
これに対し、従来の紙おむつのように、伸縮性を有するプラスチックフィルムを用いた場合、その伸縮性フィルムは常に縮もうとする収縮力を有するため、締め付けがきつく感じることがある他、一旦伸縮性フィルムをその許容量以上に伸ばしてしまったり、繰り返し伸縮させたりすることによって、その伸縮力が低下してしまう問題があった。
このように、本来は伸縮性を有さないサイドフラップ２０に、複数のスリット２・・・を形成することによって伸縮性を付与した紙おむつ１は優れているといえる。
【００４２】
なお、本発明は上記実施形態に限られるものではない。
【００４３】
例えば、図８に示すように、スリット２の長手方向の両端部側をそれぞれ囲うように、略Ｃ字形状を呈する切り込み部３を形成するようにしてもよい。
このような切り込み部３が、スリット２の長手方向の延長線上に形成されていると、スリット２がそのスリットに沿って引き裂かれてしまった場合に、切り込み部３部分でその裂ける勢いが分散されて低減されることとなって、その破れが止まるので、サイドフラップ２０の損傷を抑えることができる。
【００４４】
また、スリット２や切り込み部３を形成する際に、サイドフラップ２０を切断するカッターに熱をかけるなどして、その切断面の繊維を融着させてもよい。
スリット２や切り込み部３の切断面が融着されていると、その切断面における繊維の配向性が乱れることとなって、結果的にサイドフラップ２０が裂け難くなる。
【００４５】
また、図９、図１０に示すように、紙おむつ１ａのサイドフラップ２０に、サイドフラップ２０の延出方向と交差する方向に沿う複数条の筋部である複数の溝を形成することによって、そのサイドフラップ２０の延出方向に凹凸が連なる波状加工部４を形成してもよい。
波状加工部４は、例えば、サイドフラップ２０にギア加工などのエンボス加工を施して形成した波形状部分を熱セットすることにより、サイドフラップ２０に波形状が耐久性よく付与された筋部である。
そして、このサイドフラップ２０に、そのサイドフラップ２０の延出方向（紙おむつ１ａの幅方向）に引き伸ばされる作用力が付与されると、波状加工部４の凹凸が広げられることによって、サイドフラップ２０がその作用力の方向に伸びることとなる。一方、その作用力が付与されなくなくと、波状加工部４の凹凸が復元されてサイドフラップ２０はその原形を回復するように縮む。
つまり、サイドフラップ２０自体は伸縮しないものの、波状加工部４の変形に応じて、サイドフラップ２０はその延出方向への伸縮が可能になっている。
【００４６】
このような、波状加工部４を有するサイドフラップ２０を備える紙おむつ１ａであっても、人体の腹が一時的に膨らむ際に、紙おむつ１ａにおけるサイドフラップ２０がその延出方向に伸びることによって、ユーザの腹や腰などの胴回りにかかる腹圧を低減することができるので、紙おむつ１ａの着用性や装着感が向上する。また、膨らんだ腹が元に戻ると、波状加工部４の凹凸が復元され、サイドフラップ２０はその原形を回復するように縮むので、紙おむつ１ａは元のように胴回りにフィットする。
このように、紙おむつ１ａも、装着感に優れ、より好適に着用することができる吸収性物品である。
【００４７】
また、図１１、図１２に示すように、紙おむつ１ｂの着用時に人体の腰回り側に位置する第１フラップ部としての第１サイドフラップ２５ａ、２５ｂと、人体の脚回り側に位置する第２フラップ部としての第２サイドフラップ２６ａ、２６ｂを備える紙おむつ１ｂであって、それら第１サイドフラップ２５ａ、２５ｂと、第２サイドフラップ２６ａ、２６ｂに複数のスリット２・・・を形成してもよい。
更に、背側部１６におけるサイドフラップ（２５ａ、２５ｂ、２６ａ、２６ｂ）と吸収体１２の間と、腹側部１５における当該腹側部１５の両側端部と被着部３０との間に、サイドフラップ（２５ａ、２５ｂ、２６ａ、２６ｂ）の延出方向と交差する方向に沿う複数条の筋部であるスリット２ａ・・・と、スリット２ｂ・・・を形成してもよい。
【００４８】
スリット２ａ・・・は、背側部１６の背側延出部１６２における腰回り側と、腹側部１５の腹側延出部１５２における腰回り側に形成されている。
スリット２ｂ・・・は、背側部１６の背側延出部１６２における脚回り側と、腹側部１５の腹側延出部１５２における脚回り側に沿って形成されている。
特に、スリット２ａを、スリット２のピッチ長Ｂより短く形成することによって、サイドフラップ（２５ａ、２５ｂ、２６ａ、２６ｂ）より、背側部１６と腹側部１５における腰回り近傍の方が伸縮するようになっている。
また、スリット２ｂを、スリット２ａの長さＬより短く形成することによって、背側部１６と腹側部１５における腰回り近傍より、背側部１６と腹側部１５における脚回り近傍の方が伸縮程度が小さくなっている。
【００４９】
そして、紙おむつ１ｂを着用する場合、第２サイドフラップ２６ａ、２６ｂを脚回り側から腰回り側へ引き上げるようにして、ファスニングテープ２３を被着部３０に係止するとともに、第１サイドフラップ２５ａ、２５ｂをその第２サイドフラップ２６ａ、２６ｂに重ねるように止着することによって、紙おむつ１ｂをより好適に人体にフィットさせて装着することができる。
なお、第１サイドフラップ２５ａと第２サイドフラップ２６ａ、及び、第１サイドフラップ２５ｂと第２サイドフラップ２６ｂ、とは、元々それぞれ上下一体のサイドフラップである。そして、第１サイドフラップ２５ａと第２サイドフラップ２６ａの間と、第１サイドフラップ２５ｂと第２サイドフラップ２６ｂの間に、それぞれミシン目が形成されているので、そのミシン目に沿ってサイドフラップを切り裂くことによって、上下別体の第１サイドフラップと第２サイドフラップとに分割することが可能になっている。
【００５０】
このように、背側部１６や腹側部１５にスリット２ａやスリット２ｂが形成されている紙おむつ１ｂであっても、人体の腹が一時的に膨らむ際に、紙おむつ１ｂにおけるサイドフラップ（２５ａ、２５ｂ、２６ａ、２６ｂ）や、背側部１６や腹側部１５が伸びることによって、ユーザの腹や腰などの胴回りや脚回りにかかる腹圧などを低減することができるので、紙おむつ１ｂの着用性や装着感が向上する。また、膨らんだ腹が元に戻ると、サイドフラップ（２５ａ、２５ｂ、２６ａ、２６ｂ）や背側部１６や腹側部１５はその原形を回復するように縮むので、紙おむつ１ｂは元のように胴回りにフィットする。
このように、紙おむつ１ｂも、装着感に優れ、より好適に着用することができる吸収性物品である。
【００５１】
特に、紙おむつ１ｂの着用時において、人体の腰骨の近傍で、腹側部１５にサイドフラップ（２５ａ、２５ｂ、２６ａ、２６ｂ）と背側部１６を重ねた際に、サイドフラップ（２５ａ、２５ｂ、２６ａ、２６ｂ）と背側部１６のスリット（２、２ａ、２ｂ）が、腹側部１５のスリット（２ａ、２ｂ）と重なることとなるので、紙おむつ１ｂの人体側と外部側との通気性が向上する。
つまり、紙おむつ１ｂの着用時に重なった腹側部１５の腹側延出部１５２と背側部１６の背側延出部１６２には、それぞれ開口部であるスリット（２ａ、２ｂ）が形成されているので、紙おむつ１ｂの人体側と外部側との通気性を向上させて、紙おむつ１ｂ内のムレを低減することができる。
【００５２】
なお、以上の実施の形態においては、紙おむつにおけるサイドフラップのみにスリットを形成する場合と、紙おむつにおけるサイドフラップと背側部と腹側部にスリットを形成する場合を例に挙げて説明したが、本発明はこれに限定されるものではなく、紙おむつにおける背側部と腹側部のみにスリットを形成してもよく、また、紙おむつにおける背側部と腹側部のいずれか一方にスリットを形成するようにしてもよい
【００５３】
また、以上の実施の形態においては、紙おむつに筋部としてのスリットを形成する場合と、筋部としての溝からなる波状加工部を形成する場合を、それぞれ例に挙げて説明したが、本発明はこれに限定されるものではなく、紙おむつに筋部としてのスリットと、筋部としての溝からなる波状加工部とを混在させるようにしてもよい。
【００５４】
また、紙おむつの各部に形成するスリットの数は任意の数であってよく、また、スリットの長さＬや、スリットのピッチ長Ｂなども、任意であり、様々なサイズのスリットが混在するようにしてもよい。
【００５５】
また、その他、具体的な細部構造等についても適宜に変更可能であることは勿論である。
【図面の簡単な説明】
【００５６】
【図１】本発明に係る紙おむつを示す展開斜視図である。
【図２】本発明に係る紙おむつの装着時における状態を示す斜視図である。
【図３】本発明に係る紙おむつを示す展開平面図である。
【図４】サイドフラップにおけるスリットの説明図であり、閉じたスリット（ａ）と、開いたスリット（ｂ）を示している。
【図５】図３におけるV−V線における断面図である。
【図６】紙おむつの背側部の一部を断面視した拡大説明図である。
【図７】紙おむつにインナーパッドを装着した場合を示す断面図である。
【図８】スリットの変形例であり、スリットの両端部側に切り込み部が形成された状態を示す説明図である。
【図９】本発明における紙おむつの変形例を示す展開斜視図である。
【図１０】本発明における紙おむつの変形例であって、装着時における状態を示す斜視図である。
【図１１】本発明における紙おむつの変形例を示す展開斜視図である。
【図１２】本発明における紙おむつの変形例であって、装着時における状態を示す斜視図である。
【符号の説明】
【００５７】
１、１ａ、１ｂ  紙おむつ（吸収性物品）
２、２ａ、２ｂ  スリット（筋部）
３      切り込み部
４      波状加工部（溝、筋部）
１０    紙おむつ本体
１０ａ  表面シート
１０ｂ  裏面シート
１２    吸収体
１３    ギャザーシート
１５    腹側部
１６    背側部
１７    股下部
２０    サイドフラップ
２５ａ、２５ｂ  第１サイドフラップ（第１フラップ部）
２６ａ、２６ｂ  第２サイドフラップ（第２フラップ部）
２３    ファスニングテープ（ファスニング部材）
【図１】
2007143871.tif 000003
【図２】
2007143871.tif 000004
【図３】
2007143871.tif 000005
【図４】
2007143871.tif 000006
【図５】
2007143871.tif 000007
【図６】
2007143871.tif 000008
【図７】
2007143871.tif 000009
【図８】
2007143871.tif 000010
【図９】
2007143871.tif 000011
【図１０】
2007143871.tif 000012
【図１１】
2007143871.tif 000013
【図１２】
2007143871.tif 000014